(57)【特許請求の範囲】
【請求項１】
閉止位置と開放位置との間を進退する少なくとも一つの開閉部材と、
閉止位置にある前記開閉部材と干渉しない非干渉位置と、閉止位置にある前記開閉部材と干渉する干渉位置との間を進退する干渉部材と、
を備えた可動盤面部品であって、
前記開閉部材は、前記干渉位置にある前記干渉部材を嵌合させるために形成された干渉回避部と、前記開閉方向と並行に進退して該干渉回避部を開閉する窓部材と、前記干渉回避部を閉止する方向へ該窓部材を弾性付勢する弾性部材と、を備え、
前記開閉部材が開放位置にある時に前記干渉部材を前記干渉位置に停止させた際に、前記開閉部材が閉止方向へ移動する過程で、前記干渉部材が前記弾性部材に抗して前記窓部材を押圧して前記干渉回避部を開放するように構成されていることを特徴とする可動盤面部品。
【請求項２】
開放位置と閉止位置との間を進退する少なくとも一つの開閉部材と、
閉止状態にある前記開閉部材と干渉しない非干渉位置と、閉止状態にある前記開閉部材と干渉する干渉位置との間を進退する干渉部材と、
を備えた可動盤面部品であって、
前記開閉部材は、相対的に開閉自在に支持された少なくとも２枚の開閉片と、前記各開閉片を互いに近接する方向へ弾性付勢する第１の弾性部材と、内側に位置する前記開閉片に設けられて前記干渉位置にある前記干渉部材を嵌合させる干渉回避部と、前記開閉方向へ進退して該干渉回避部を開閉する窓部材と、前記干渉回避部を閉止する方向へ該窓部材を弾性付勢する第２の弾性部材と、を備え、
前記開閉部材が開放状態にある時に前記干渉部材を前記干渉位置に停止させた際に、前記開閉部材を閉止する過程で、前記干渉部材が前記第２の弾性部材に抗して前記窓部材を押圧して前記干渉回避部を開放するように構成されていることを特徴とする可動盤面部品。
【請求項３】
前記開閉部材を二個備え、該各開閉部材は内側端縁を近接させた閉止状態と、離間させた開放状態との間を進退するように構成されていることを特徴とする請求項１又は２に記載の可動盤面部品。
【請求項４】
前記干渉部材を画像表示装置としたことを特徴とする請求項１乃至３の何れか一項に記載の可動盤面部品。
【請求項５】
請求項１乃至４の何れか一項に記載の可動盤面部品と、遊技盤と、を備えたことを特徴とする遊技盤ユニット。
【請求項６】
請求項５に記載の遊技盤ユニットを備えたことを特徴とするパチンコ遊技機。
【発明の詳細な説明】
【技術分野】
【０００１】
本発明は、例えば遊技盤上の液晶画面を開閉する扉等の開閉部材を備えた遊技機において、開閉部材の開閉経路と干渉する経路にて進退する他の部材を組合せ使用することによって多様な演出効果を発揮することを可能ならしめた可動盤面部品、遊技盤ユニット、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤面上に設けた液晶表示装置の表示面を開閉する障子や扉を盤面と略平行な方向へ開閉、出没動作させることによって遊技進行上特徴的な演出効果を発揮させるようにした可動盤面部品が提案されている。
しかし、従来例えば液晶表示装置の前面に２枚の開閉部材を横方向へ開閉自在に支持した場合、開閉部材の開閉経路と干渉する上下方向に移動する可動部材（役物）を液晶表示装置の前面に出没させようとすれば、開閉部材が開放状態にあるときだけにしかこの可動部材を液晶表示装置前面に移動させることができなかった。従って、例えば、開閉部材を閉止状態に維持しつつ可動部材を開閉部材と干渉する位置に出現させることはできなかった。仮に、閉止している開閉部材の前方に可動部材を出現させるとすれば、開閉部材と可動部材の厚みを含めた大きな前後方向スペースを液晶表示装置の前方に確保する必要が生じるため、遊技機の限られたスペースではこのようなレイアウトは極めて困難となる。
このため、開閉部材によって液晶表示装置を開閉する構成を採用した場合に上下方向へ移動する可動部材を組合せ使用しようとすれば、開閉部材が開放している時にのみ可動部材を液晶表示装置の前方に出現させる構成を採用せざるを得ず、演出の自由度が狭く、演出の多様化が難しかった。即ち、開閉部材が閉止状態にある時には開閉部材が占めるスペース内における演出が中断した状態となり、演出内容の面白みが低下することがあった。
【先行技術文献】
【特許文献】
【０００３】
【特許文献１】特願２００８−１８８６３２公報
【発明の概要】
【発明が解決しようとする課題】
【０００４】
以上のように、遊技盤面と並行に移動して液晶表示装置等を開閉する扉状の開閉部材と、開閉部材の移動経路と干渉する経路にて液晶表示装置前に出没する可動部材を併用した場合には、遊技盤の構造、厚み方向スペース上の制限から、開閉部材が液晶表示装置等を閉止している最中に可動部材を開閉部材の前方に出現させる構成を採用することは極めて難しかった。しかし、開閉部材が液晶表示装置等を閉止している最中に、開閉部材と干渉する位置に他の可動部材を出現させて何らかの演出を行わせるように構成できれば、開閉部材面に表示された絵柄等と可動部材との組合せによって演出内容に多様性を付与できるので、遊技者による興趣を高めることができることは明かである。
本発明は上記に鑑みてなされたものであり、遊技盤面と並行に移動して液晶表示装置等を開閉する開閉部材と、この開閉部材の開閉経路と干渉する経路に沿って移動する可動部材とを備えた遊技機において、開閉部材が液晶表示装置等を閉止している最中に、開閉部材と干渉する位置に他の可動部材を出現させて何らかの演出を行わせることを可能ならしめて、演出内容に多様性を付与するようにした可動盤面部品、遊技盤ユニット、及びパチンコ遊技機を提供することを目的としている。
【課題を解決するための手段】
【０００５】
上記目的を達成するため、請求項１の発明に係る可動盤面部品は、閉止位置と開放位置との間を進退する少なくとも一つの開閉部材と、閉止位置にある前記開閉部材と干渉しない非干渉位置と、閉止位置にある前記開閉部材と干渉する干渉位置との間を進退する干渉部材と、を備えた可動盤面部品であって、前記開閉部材は、前記干渉位置にある前記干渉部材を嵌合させるために形成された干渉回避部と、前記開閉方向と並行に進退して該干渉回避部を開閉する窓部材と、前記干渉回避部を閉止する方向へ該窓部材を弾性付勢する弾性部材と、を備え、前記開閉部材が開放位置にある時に前記干渉部材を前記干渉位置に停止させた際に、前記開閉部材が閉止方向へ移動する過程で、前記干渉部材が前記弾性部材に抗して前記窓部材を押圧して前記干渉回避部を開放するように構成されていることを特徴とする。
従来、一つ、又は２以上の開閉部材を閉止位置と開放位置との間で進退させる場合に、開閉部材が閉止位置にある時に、この開閉部材と干渉する他の部材を干渉する位置に配置することはできなかった。このため、開閉部材の閉止時にはその背後に配置された画像表示装置、その他の表示装置、役物が視認不能となり、演出が中断することがあった。これに対して本発明では、閉止状態にある開閉部材の面積内部に干渉回避部を設けて他の部材（干渉部材）を位置させることができるため、開閉部材が閉止状態にあっても他の部材による新たな演出を継続させることが可能となる。しかも、干渉部材が非干渉位置にある時に開閉部材を閉止した場合には干渉回避部は窓部材によって閉止された状態となるため、背後に位置する表示装置等を完全に隠蔽することができる。
【０００６】
請求項２の発明に係る可動盤面部品は、開放位置と閉止位置との間を進退する少なくとも一つの開閉部材と、閉止状態にある前記開閉部材と干渉しない非干渉位置と、閉止状態にある前記開閉部材と干渉する干渉位置との間を進退する干渉部材と、を備えた可動盤面部品であって、前記開閉部材は、相対的に開閉自在に支持された少なくとも２枚の開閉片と、前記各開閉片を互いに近接する方向へ弾性付勢する第１の弾性部材と、内側に位置する前記開閉片に設けられて前記干渉位置にある前記干渉部材を嵌合させる干渉回避部と、前記開閉方向へ進退して該干渉回避部を開閉する窓部材と、前記干渉回避部を閉止する方向へ該窓部材を弾性付勢する第２の弾性部材と、を備え、前記開閉部材が開放状態にある時に前記干渉部材を前記干渉位置に停止させた際に、前記開閉部材を閉止する過程で、前記干渉部材が前記第２の弾性部材に抗して前記窓部材を押圧して前記干渉回避部を開放するように構成されていることを特徴とする。
開閉部材は、一枚の部材であってもよいが、複数枚の開閉片を相対的にスライド（伸縮）自在に組み付けることによって開閉部材を構築してもよい。
【０００７】
請求項３の発明に係る可動盤面部品は、前記開閉部材を二個備え、該各開閉部材は内側端縁を近接させた閉止状態と、離間させた開放状態との間を進退するように構成されていることを特徴とする。
請求項４の発明に係る可動盤面部品は、前記干渉部材を画像表示装置としたことを特徴とする。
請求項５の発明に係る遊技盤ユニットは、請求項１乃至４の何れか一項に記載の可動盤面部品と、遊技盤と、を備えたことを特徴とする。
請求項６の発明に係るパチンコ遊技機は、請求項５に記載の遊技盤ユニットを備えたことを特徴とする。
【発明の効果】
【０００８】
本発明によれば、液晶表示装置等の前面を開閉するために進退自在に支持された少なくとも一つの開閉部材と、閉止状態にある開閉部材と干渉する経路に沿って移動する干渉部材（可動部材）とを備えた遊技機において、開閉部材が液晶表示装置等の背後にある装置、部材等を閉止している最中に、開閉部材と干渉する位置に干渉部材を出現させて何らかの演出を行わせることを可能ならしめて、演出内容に多様性を付与することができる。
【図面の簡単な説明】
【０００９】
【図１】本発明に係る可動盤面部品を搭載したパチンコ遊技機の正面図である。
【図２】本発明の一実施形態に係る可動盤面部品を構成する開閉部材が閉止し且つ干渉部材が退避位置にある状態を示す正面図である。
【図３】開閉部材を構成する内側開閉片が開放した状態を示す正面図である。
【図４】全ての開閉片が開放した状態を示す正面図である。
【図５】干渉部材が干渉位置に移動した状態を示す正面図である。
【図６】干渉部材が干渉位置にある時に開閉部材を閉止した状態を示す正面図である。
【図７】干渉部材が干渉位置にある時に開閉部材を閉止した状態を示す裏面図である。
【図８】干渉部材が干渉位置にある時に開閉部材を閉止した状態を示す正面側斜視図である。
【図９】開閉部材が開放した状態を示す正面側斜視図である。
【図１０】干渉部材が干渉位置にあり且つ開閉部材が閉止位置にある状態を示す正面側斜視図である。
【図１１】本発明の可動盤面部品の全体分解斜視図である。
【図１２】一方の開閉片の分解斜視図である。
【図１３】一方の開閉片の組立状態を示す斜視図である。
【図１４】一方の開閉片と駆動機構を示す斜視図である。
【図１５】本発明の可動盤面部品と制御装置との関係を示す略図である。
【発明を実施するための形態】
【００１０】
以下、本発明を図面に示した実施の形態により詳細に説明する。
図１は本発明に係る可動盤面部品を搭載したパチンコ遊技機の正面図である。
図１に示すパチンコ遊技機１は、矩形形状の枠２を有し、この枠２の窓孔に対して遊技盤３が着脱可能に取り付けられている。
遊技盤３の前面側には、図示しないガラス枠が開閉可能に取り付けられている。またガラス枠の下部には、遊技球を貯留する受け皿部４と、この受け皿部４内の遊技球を発射する発射レバー５等が設けられている。
受け皿部４の上面には、例えば遊技者自身に操作を行わせて遊技に対する参加感を演出する演出ボタン６が設けられている。また、図示しないが受け皿部４の上面には、遊技球の購入ボタン、購入取り消しボタン、受け皿部４内の遊技球を下方から外部に抜くための球抜きボタン等が設けられている。
遊技盤３の背面側には、可動盤面部品Ａ、画像表示手段である画像表示装置１１が順次配置され、更に主制御基板とサブ制御基板等、遊技の進行、演出に関わる裏部品を組み付けた合成樹脂製の機構板（何れも図示せず）が装着されている。遊技盤３における遊技領域３ａの周囲には、外レールＲ１及び内レールＲ２が設けられている。これら外レールＲ１及び内レールＲ２は、発射レバー５を操作したときに発射装置から発射された遊技球を遊技領域３ａの上部に案内したり、アウト口１８に案内する。
【００１１】
画像表示装置１１は、例えば、液晶表示装置等の液晶表示パネルにより構成され、通常動作状態の時は、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示装置１１の下方には、可変入賞装置１２が配置されている。可変入賞装置１２は、上始動口１３と、左右一対の開閉爪（可動片）を有する電動式チューリップ（以下、「電チュー」と称する）１４とを備えて構成される。上始動口１３の内部には、特別図柄表示器２１の特別図柄を変動表示する権利を発生させる第１始動口スイッチ（ＳＷ）が設けられている。また電チュー１４の内部には、特別図柄表示器２２の特別図柄を変動表示する権利を発生させる第２始動口スイッチ（ＳＷ）が設けられている。なお、本実施形態では、上始動口１３と電チュー１４とにそれぞれ別々の始動口スイッチを設けるようにしているが、これはあくまでも一例であり始動口スイッチは共有してもよい。
【００１２】
また画像表示装置１１の左側には、後述する普通図柄表示器２３を作動させるためのゲート１５が設けられている。ゲート１５は、その内部にゲートスイッチ（ＳＷ）が設けられており、遊技球がゲートＳＷを通過したときに、普通図柄表示器２３の普通図柄が所定時間作動して停止するようになっている。普通図柄表示器２３の普通図柄が所定態様で停止した場合は、電チュー１４が所定時間、開成動作するように構成されている。
可変入賞装置１２の下方には、特別遊技状態のときに開成状態になる大入賞装置の大入賞口１６が設けられている。
さらに遊技盤３の遊技領域３ａには、普通入賞口１７が設けられていると共に、風車や図示しない多数の遊技釘が突設されている。遊技釘は、遊技球の落下速度を遅くすると共に、落下方向を複雑に変化させて遊技進行上の興趣を高めている。
遊技盤３の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。第１特別図柄表示器２１及び第２特別図柄表示器２２は、特別図柄を変動表示させ所定時間経過後に当該変動表示を静止させることにより当たりに当選したか否か表示する。
【００１３】
第１特別図柄保留ランプ２４は、第１特別図柄の変動表示を開始させる権利（保留球）の保留個数を表示する。第２特別図柄保留ランプ２５は、第２特別図柄の変動表示を開始させる権利の保留個数を表示する。なお、本実施形態では、第１特別図柄の保留球と、第２特別図柄の保留球が保留されている場合は、第２特別図柄の保留球を優先的に消化する場合を例に挙げて説明するが、保留球の入賞順に消化するように構成してもよい。
普通図柄保留ランプ２６は、普通図柄が変動中に遊技球がゲート１５を通過したときに、ゲート１５の通過によって得られる普通図柄の変動表示を開始させる権利（最大４個）の保留個数を表示する。なお、本実施形態では、第１、第２特別図柄表示器２１、２２、普通図柄表示器２３、第１、第２特別図柄保留ランプ２４、２５、及び普通図柄保留ランプ２６を、遊技盤３の遊技領域外に配置するようにしているが、これはあくまでも一例であり、これらの表示器を遊技盤３の遊技領域３ａ内に配置することも勿論可能である。
【００１４】
次に、図２は本発明の一実施形態に係る可動盤面部品を構成する開閉部材が閉止し且つ干渉部材が退避位置にある状態を示す正面図であり、図３は開閉部材を構成する内側開閉片が開放した状態を示す正面図であり、図４は全ての開閉片が開放した状態を示す正面図であり、図５は干渉部材が干渉位置に移動した状態を示す正面図であり、図６は干渉部材が干渉位置にある時に開閉部材を閉止した状態を示す正面図であり、図７は干渉部材が干渉位置にある時に開閉部材を閉止した状態を示す裏面図であり、図８は干渉部材が干渉位置にある時に開閉部材を閉止した状態を示す正面側斜視図であり、図９は開閉部材が開放した状態を示す正面側斜視図であり、図１０は干渉部材が干渉位置にあり且つ開閉部材が閉止位置にある状態を示す正面側斜視図であり、図１１は本発明の可動盤面部品の全体分解斜視図であり、図１２は一方の開閉片の分解斜視図であり、図１３は一方の開閉片の組立状態を示す斜視図であり、図１４は一方の開閉片と駆動機構を示す斜視図であり、図１５は本発明の可動盤面部品と制御装置との関係を示す略図である。
【００１５】
本発明に係る可動盤面部品Ａは、画像表示装置１１の前面に配置されて閉止位置と開放位置との間を進退する一対の開閉部材３０、３１と、閉止状態にある開閉部材と干渉しない非干渉位置（イ）と閉止状態にある開閉部材と干渉する干渉位置（ロ）との間を進退する干渉部材６０と、開閉部材３０、３１を駆動する開閉部材駆動機構８０と、干渉部材を駆動する干渉部材駆動機構９０と、各駆動機構８０、９０を制御する制御装置９５と、から概略構成されている。これらの構成要素３０、３１、６０、８０、９０は、ベース部材１００によって支持されている。ベース部材１００は遊技盤、その他の遊技機の構成要素に固定され、開閉部材の開放時に背後に位置する画像表示装置１１を前方から視認できるように透明材料から構成したり、或いは画像表示装置に相当する範囲に開口部１０１を設ける。
なお、閉止位置とは、背後に位置する画像表示装置１１を完全に隠蔽する場合に限定されるものではなく、画像表示装置の一部を露出させた状態を含む概念である。
【００１６】
開閉部材３０、３１は、略左右対称の構成を有しており、相対的に横方向へ開閉自在に支持された少なくとも２枚ずつの開閉片３０ａ、３０ｂ、開閉片３１ａ、３１ｂと、各開閉片を互いに近接する方向へ弾性付勢する第１の弾性部材３５、３５と、閉止側（内側）に位置する内側開閉片３０ａ、３１ａの閉止側（内側）端縁に形成されて図５に示した干渉位置にある干渉部材６０を嵌合させる切欠き部（干渉回避部）３２、３２と、開閉方向へ進退して各切欠き部３２、３２を開閉する窓部材３６、３６と、各切欠き部を閉止する方向へ各窓部材３３、３３を弾性付勢する第２の弾性部材４０、４０と、を備えている。即ち、各開閉片３０ａ、３０ｂ、開閉片３１ａ、３１ｂは、図２に示した閉止位置、図３に示した中間位置、及び図４に示した開放位置との間を開閉移動する。本例では、図２の閉止状態では各開閉片３０ａ、３０ｂ、開閉片３１ａ、３１ｂは最も伸張した状態で、画像表示装置１１の前面を閉止しているが、図３の中間状態では内側開閉片３０ａ、３１ａのみが同期して開放方向へ移動して外側開閉片３０ｂ、３１ｂとほぼ重なった状態となる。更に、図４の開放状態では開閉片３０ａと３０ｂ、開閉片３１ａと３１ｂとが夫々重なった状態で一体的に外側へ移動して画像表示装置１１の前面を更に大きく開放する。このように開閉部材３０、３１は、画像表示装置１１を隠蔽した状態から、最大限に露出させた状態まで無段階に開閉動作することができる。コイルバネから成る第１の弾性部材３５は、その両端部を開閉片３０ａと３０ｂ、開閉片３１ａと３１ｂに夫々固定されることにより、各内側開閉片３０ａ、３１ａと各外側開閉片３０ｂ、３１ｂを接近させる方向へ弾性付勢している。従って、図２のように各開閉片が画像表示装置１１を閉止した状態では内側開閉片と外側開閉片は展開（離間）した状態にあるため、各第１の弾性部材３５は延びきった状態にある。また、図３、図４のように各開閉片が開放方向へ移動することによって重なった状態では各第１の弾性部材３５は収縮した状態にある。
【００１７】
本例では、内側開閉片３０ａ、３１ａは外側開閉片３０ｂ、３１ｂの奥側に位置しているが、両者の前後位置関係は逆であってもよい。両内側開閉片３０ａ、３１ａは、図２の閉止位置で内端縁同士が当接し合うためこれ以上内側へ移動はできない。外側開閉片３０ｂ、３１ｂは、図２の閉止時には図示した位置よりも内側へ移動できないように、図示しないストッパ等によってこの位置にて係止される。
開閉部材駆動機構８０は、各開閉部材３０、３１の上下端縁を横方向へスライド自在にガイドするガイド部８１ａ、８１ｂと、下側のガイド部８１ｂに沿って配置されたラックアンドピニオン機構８２と、ラックアンドピニオン機構８２を駆動するモータＭ１と、を備えている。ラックアンドピニオン機構８２は、モータにより駆動されるピニオンギヤ８３と、各内側開閉片３０ａ、３１ａの下部から夫々内側へ上下位置関係にて突出してピニオンギヤ８３と常時噛合する長尺のラックギヤ８４、８５と、を有している。従って、ピニオンギヤ８３を正逆回転させることにより、各内側開閉片３０ａ、３１ａは開閉方向（内外方向）へ進退する。第１の弾性部材３５を介して内側開閉片３０ａ、３１ａと連結された外側開閉片３０ｂ、３１ｂは、内側開閉片３０ａ、３１ａが図２の閉止位置にある時には図示しないストッパによってこれ以上内側へ移動できないようにされているため、内側開閉片のみが内側に移動して画像表示装置１１を閉止した状態となる。ピニオンギヤ８３が開放方向へ回転すると、各ラックギヤ８４、８５が外側へ移動開始するため、各内側開閉片３０ａ、３１ａも一体となって外側へ移動開始する。第１の弾性部材３５が内側開閉片を常時開放方向へ付勢しているため、内側開閉片の開放動作はスムーズとなる。図３に示した中間状態では内側開閉片と外側開閉片が重なり合った状態となっており、更にピニオンギヤを開放方向へ回転させると、図４に示したように内側開閉片と外側開閉片は重なった状態で一体となって更に外側へ移動する。この状態が最大開放状態である。
【００１８】
つまり、開閉部材駆動機構８０は、ラックギヤ８４、８５を備えた内側開閉片３０ａ、３１ａのみを開閉方向へ駆動することにより、外側開閉片３０ｂ、３１ｂをこの開閉動作に追従して移動させることができる。この際、ラックギヤ８４、８５の長さを適切に設定することにより、ピニオンギヤ８３を正逆回転させる過程で、開閉部材３０、３１を図２の閉止位置、図３の中間位置、及び図４の最大開放位置との間で進退させることが可能となる。
各開閉部材３０、３１の位置は、図示しないセンサにより検知する。
なお、図１１に示したように外側開閉片３０ｂ、３１ｂの下部から内側へ向けてラックギヤ８６、８７を延ばしてピニオンギヤ８３を４本のラックギヤ８４、８５、８６、８７と同時に噛合させ、これらを同時に内外方向へ進退させるように構成してもよい。この場合には、内側開閉片から延びるラックギヤ８４、８５の長さを、外側開閉片から延びるラックギヤ８６、８７の長さよりも長くすることにより、図２乃至図４の各位置への移動がスムーズに行われるように配慮する。
【００１９】
各窓部材３６は図１１乃至図１４に示すように横方向へ延びる二本の長穴３７を有し、この長穴３７内に内側開閉片３０ａの適所に設けた嵌合突起３８を嵌合させることにより、各開閉片の開閉方向と並行な横方向へ進退自在に支持されている。第２の弾性部材４０は窓部材の一端に設けた係止部３６ａに一端を係止されると共に、他端を内側開閉片３０ａの適所に設けた係止片３８ａにより係止されている。従って、窓部材３６は常時切欠き部３２を閉止する方向へ弾性付勢されている。窓部材３６が開放するのは、内側開閉片３０ａが閉止方向へ移動する過程で、干渉位置にある干渉部材６０により相対的に押圧されて開放するときである。
干渉部材６０は、干渉部材駆動機構９０によって非干渉位置（イ）と干渉位置（ロ）との間を昇降自在に構成されており、各開閉部材３０、３１が図３に示した中間位置、或いは図４に示した最大開放位置にある時に干渉部材６０を干渉位置（ロ）に停止させた際に、開閉部材３０、３１を閉止する過程で、干渉部材６０が第２の弾性部材４０に抗して窓部材３６を押圧して切欠き部（干渉回避部）３２を開放する。つまり、干渉部材６０を干渉位置に下降させて停止した状態で、開閉部材３０、３１を閉止したとしても、窓部材３６が干渉部材６０により押圧されて切欠き部３２を開放させるため、干渉部材は切欠き部内に納まることができ、開閉部材も完全な閉止位置に達することができる。
【００２０】
干渉部材駆動機構９０は干渉部材６０を昇降させることができれば、どのような構成であってもよいが、本例では干渉部材６０から上方に延びるラックギヤ９１と、ラックギヤ９１と噛合してこれを昇降させるピニオンギヤ９２と、ピニオンギヤ９２を駆動するモータＭ２と、を備えている。ピニオンギヤ９２を正逆回転させることにより、ラックギヤ９１を昇降させ、その結果ラックギヤと一体の干渉部材６０を昇降させる。干渉部材６０の位置は図示しないセンサにより検知する。
なお、上記実施形態では、一つの開閉部材を２枚の開閉片により構成したが、互いにスライド自在に連結された３枚以上の開閉片から構成してもよい。
また、上記実施形態では、一対の開閉部材３０、３１を横方向（内外方向）へ進退させることにより、各開閉部材（内側開閉片）の内側端縁同士を近接（接触）させた閉止位置と、離間させた開放位置との間を同期して移動させるようにした構成例を示したが、これは一例に過ぎない。従って、例えば一枚の開閉部材を閉止位置と開放位置に移動させることにより背面側に位置する他の部材等を隠蔽したり、露出させるように構成してもよい。
【００２１】
つまり、本発明の可動盤面部品は、閉止位置と開放位置との間を進退する少なくとも一つの開閉部材と、閉止位置にある前記開閉部材と干渉しない非干渉位置と、閉止位置にある前記開閉部材と干渉する干渉位置との間を進退（開閉方向と交差する進退経路）する干渉部材と、を備え、前記開閉部材は、前記干渉位置にある前記干渉部材を嵌合させるために閉止側端縁に配置された干渉回避部と、前記開閉方向と並行に進退して該干渉回避部を開閉する窓部材と、前記干渉回避部を閉止する方向へ該窓部材を弾性付勢する弾性部材と、を備え、前記開閉部材が開放位置にある時に前記干渉部材を前記干渉位置に停止させた際に、前記開閉部材が閉止方向へ移動する過程で、前記干渉部材が前記弾性部材に抗して前記窓部材を押圧して前記干渉回避部を開放するように構成されていればよい。
【００２２】
また、干渉回避部は切欠き部でなく、凹所、その他の構成であってもよい。また、干渉回避部は一方の開閉部材側にのみ設けても良い。また、干渉回避部を干渉部材の移動経路に沿った開閉部材の端縁に沿って複数箇所設け、各干渉回避部内に干渉部材が嵌合し得るように構成してもよい。更に、開閉部材を常に複数の開閉片から構成する必要はなく、一枚の開閉部材から構成してもよい。
また、上記実施形態では、開閉部材を横方向へ進退させる一方で、干渉部材は上下方向へ進退させるように構成したが、開閉部材の移動方向は上下方向、斜め方向等々、任意の方向に設定することが可能であり、干渉部材の移動方向は開閉部材の移動方向と干渉する方向であればどのような方向であってもよい。
また、開閉部材の少なくとも一部を透明、開口とすることにより、背後に位置する液晶表示装置上の画像演出との併用によって、多様な演出効果を発揮することができる。
また、干渉部材６０を液晶表示装置（画像表示装置）とし、干渉部材の正面の画面に種々の映像を表出させて多様な演出を実現できるようにしてもよい。或いは、干渉部材を任意のギミックや電飾装置としてもよい。
【００２３】
以上のように、本発明では、閉止状態にある開閉部材の面積内部に干渉回避部を設けてこの干渉回避部内に干渉部材を位置させることができるため、開閉部材が閉止状態にあっても干渉部材を用いた新たな演出を継続させることが可能となる。しかも、干渉部材が非干渉位置にある時に開閉部材を閉止した場合には干渉回避部は窓部材によって閉止された状態となるため、背後に位置する表示装置等を完全に隠蔽することができる。
従来、一つ、又は２以上の開閉部材を閉止位置と開放位置との間で進退させる場合に、開閉部材が閉止位置にある時に、この開閉部材と干渉する他の部材を干渉する位置に配置することはできなかった。このため、開閉部材の閉止時にはその背後に配置された画像表示装置、その他の表示装置、役物が視認不能となり、演出が中断することがあった。これに対して本発明では、このような演出の中断をなくして継続性を維持することができる。
なお、本発明の可動盤面部品を遊技盤に組み込むことにより構築される遊技盤ユニットは、パチンコ遊技機、その他の遊技機に適用することができる。
【符号の説明】
【００２４】
１…パチンコ遊技機、３…遊技盤、３ａ…遊技領域、４…皿部、５…発射レバー、６…演出ボタン、１１…画像表示装置、１２…可変入賞装置、１３…上始動口、１４…電チュー、１５…ゲート、１６…大入賞口、１７…普通入賞口、１８…アウト口、２１…特別図柄表示器、２２…特別図柄表示器、２３…普通図柄表示器、２４…特別図柄保留ランプ、２５…特別図柄保留ランプ、２６…普通図柄保留ランプ、３０、３１…開閉部材、３０ａ、３１ａ…内側開閉片、３２…干渉回避部（切欠き部）、３０ｂ、３１ｂ…外側開閉片、３５…第１の弾性部材、３６…窓部材、３６ａ…係止部、３７…長穴、３８…嵌合突起、３８ａ…係止片、４０…第２の弾性部材、６０…干渉部材、８０…開閉部材駆動機構、８１ａ…ガイド部、８１ｂ…ガイド部、８２…ラックアンドピニオン機構、  ８３…ピニオンギヤ、８４、８５、８６、８７…ラックギヤ、９０…干渉部材駆動機構、９１…ラックギヤ、９２…ピニオンギヤ、９５…制御装置、１００…ベース部材、１０１…開口部
【図１】
0005390353.tif 000002
【図２】
0005390353.tif 000003
【図３】
0005390353.tif 000004
【図４】
0005390353.tif 000005
【図５】
0005390353.tif 000006
【図６】
0005390353.tif 000007
【図７】
0005390353.tif 000008
【図８】
0005390353.tif 000009
【図９】
0005390353.tif 000010
【図１０】
0005390353.tif 000011
【図１１】
0005390353.tif 000012
【図１２】
0005390353.tif 000013
【図１３】
0005390353.tif 000014
【図１４】
0005390353.tif 000015
【図１５】
0005390353.tif 000016